(57)【特許請求の範囲】
【請求項１】
天板の略中央に、卓上コンロ等の調理機器を収納して支持する開口を有したテーブルにおいて、
前記開口の周囲であって前記天板の下面に設けた補強壁と、前記天板の支持脚を互いに連結する補強桟に連結されて、前記補強壁の外面に線的に当接する当接部を有した補強フレームとを備えたことを特徴とする調理機器用の開口を有したテーブル。
【請求項２】
前記天板を前記当接部と平行な位置で折り畳み自在とするとともに、この天板の下面外周全体に、前記補強壁の高さ以上の高さを有する収納壁を一体化し、さらに前記各支持脚を前記収納壁内に折り畳み自在としたことを特徴とする請求項１に記載のテーブル。
【請求項３】
前記補強フレームを、前記補強桟に回動可能に連結される連結部材と、この連結部材に対して脱着自在に連結され、前記当接部を形成した当接部材とにより構成したことを特徴とする請求項１または請求項２に記載のテーブル。
【請求項４】
天板の略中央に、卓上コンロ等の調理機器を収納して支持する開口を有したテーブルにおいて、
前記開口の周囲であって前記天板の下面に設けた補強壁と、前記天板の支持脚を互いに連結する補強桟に一端にて連結されて、他端にて、前記補強壁のコーナー部の内面に固定した連結部材側に連結される補強フレームとを備えたことを特徴とする調理機器用の開口を有したテーブル。
【請求項５】
前記補強フレームを、その略中央にて折曲自在とするとともに、その両端連結部において回動自在としたことを特徴とする請求項４に記載のテーブル。
【発明の詳細な説明】
【０００１】
【産業上の利用分野】
本発明はテーブルに関し、特に、天板の中央に開口を形成して、この開口内に卓上コンロ等の調理機器を収納して支持するようにしたテーブルに関するものである。
【０００２】
【従来の技術】
テーブルについては種々なものが古来より使用されてきており、テーブル上で使用する調理機器も種々なものが提案されてきている。そして、この調理機器の天板上面からの高さを低くして、調理を行い易くした技術が、登録実用新案第３０２０１６２３号公報、特許第２８３８３８４号及び第２９０５９１７号掲載公報等において提案されてきている。
【０００３】
これらのいずれの公報においても提案されていることは、例えば図１４に示したような天板２１０に開口２１１を有する従来テーブル２００において、この開口２１１内に卓上コンロ等の調理機器５０を収納して支持するにあたって、その支持を開口２１１の下方にて行えるようにしたものであり、調理機器５０の上面高さをテーブル面に近くすることができて、調理を行い易くすることである。
【０００４】
ところが、本発明者等の検討によると、天板２１０の中央に開口２１１を設けるということは、真っ平らな天板２１０に比べれば図１４中の星印で示したあたりが強度的に弱くなるということを意味しており、この開口２１１内に調理機器５０を収納した場合に、その重さで天板２１０の中央が下がることがある、ということが分かったのである。特に、天板２１０の材料として、大量で安価に生産できるものを採用した場合には、この下がり量は目に付く程にもなることが分かったのである。
【０００５】
このため、本発明者等は、図１４中の星印で示した部分を、図中の仮想線にて示した補助脚２２２によって補強することを思い付いたのであるが、考えてみれば、これらの補助脚２２２が本来の支持脚２２１とともに天板２１０下に並ぶということは、当該従来テーブル２００を人が囲む際に邪魔になるだけでなく、調理機器５０を使用しない場合のこれらの補助脚２２２の保管が大変になるということも意味していることが分かったのである。
【０００６】
以上のことは、室内で使用する一般的なテーブルだけでなく、近年はやりのアウトドアライフ用のものとして、折畳み式にしたテーブルについて顕著に現れることになる。何故なら、折り畳んで持ち運び易くするということは、天板２１０について大量で安価に生産できる材料を使用しなければならないからである。
【０００７】
そこで、本発明者等は、天板に形成した開口に調理機器５０を収納して支持するようにすることそれ自体は非常に便利であるから、これを有効利用するために、その開口の補強を簡単に行えるようにするにはどうしたらよいか、について種々検討を重ねてきた結果、本発明を完成したのである。
【０００８】
【発明が解決しようとする課題】
本発明は、この種の開口を有するテーブルについての上述した実状に鑑みてなされたもので、その解決しようとする課題は、天板の開口周囲の補強を如何にするかである。
【０００９】
すなわち、まず請求項１に係る発明の目的とするところは、天板の開口周囲部分の補強を簡単な構成によって行えるようにして、天板上に手を付いたり調理機器５０を載置したりしても沈むことのないテーブル１００を簡単な構成によって提供することにある。
【００１０】
請求項２に係る発明の目的とするところは、上記請求項１と同様な目的を達成できるようにする他、天板１０を折り畳み可能とすることのできるテーブル１００を提供することにあり、請求項３に係る発明の目的とするところは、上記各発明についてさらに効果的な補強が行えるテーブル１００を提供することである。
【００１１】
また、請求項４及び請求項５に係る発明の目的とするところは、天板の開口周囲部分の補強を確実に行えるようにして、天板上に手を付いたり調理機器５０を載置したりしても沈むことのないテーブル１００を提供することにある。
【００１２】
【課題を解決するための手段】
以上の課題を解決するために、まず請求項１に係る発明の採った手段は、後述する実施の形態の説明中において使用する符号を付して説明すると、
「天板１０の略中央に、卓上コンロ等の調理機器５０を収納して支持する開口１１を有したテーブル１００において、
開口１１の周囲であって天板１０の下面に設けた補強壁１２と、天板１０の支持脚２０を互いに連結する補強桟２１に連結されて、補強壁１２の外面に線的に当接する当接部３１ａを有した補強フレーム３０とを備えたことを特徴とする調理機器用の開口を有したテーブル１００」
である。
【００１３】
すなわち、この請求項１のテーブル１００は、まずその大前提として、その天板１０の略中央に開口１１を有しているものであり、図１及び図２に示すように、この開口１１の周囲に補強壁１２を形成することにより、この開口１１の近傍に位置する天板１０に力が加えられたときに、これに耐えられるようにしてあるものである。この補強壁１２は、図示はしていないが、これを利用して、調理機器５０を支承する枠や係止具が取付けられることになるものである。
【００１４】
また、この請求項１のテーブル１００は、図１〜図７に示すような、天板１０が折り畳み可能になっているものについて適用されることは勿論、この天板１０が平らなままで折り畳まれることのない形式のものについても適用されるものである。勿論、天板１０は、図５及び図６にも示すように、支持脚２０によって支持されるものであり、後述する実施形態のものでは、これに補助脚２２を接続することにより、天板１０を高くすることができるようにしてある。
【００１５】
各支持脚２０は、図６にも示すように、その一対間に取付けた補強桟２１によって強度が増すようにしてあり、この補強桟２１に、本発明の要旨部分となる補強フレーム３０が取付けてあるのである。
【００１６】
各補強フレーム３０は、図４にも示すような取付部材３３によって補強桟２１に連結されるものであり、図２や図７に示すように、天板１０の開口１１を補強するための補強壁１２の外側に線的に当接することになる当接部３１ａを有しているものである。「線的に当接する」とは、図３に示す補強フレーム３０のように、離れた二点で補強壁１２側に当接する場合を含むものであり、勿論、補強壁１２と線状に接触する場合もあることを意味している。
【００１７】
なお、この補強フレーム３０は、その先端に補強壁１２に線的に接触できるのであれば、これを支持脚２０側の補強桟２１に連結するための連結部材３２が、図３の（イ）に示すように２本であっても、また図３の（ロ）に示すように１本であってもよいものである。
【００１８】
この請求項１のテーブル１００が以上のような補強フレーム３０を有することによって、開口１１及びその周囲に加えられた重力等の力は、補強壁１２によって天板１０全体に分散される他、この補強壁１２の外面に当接している補強フレーム３０を介して各支持脚２０側にも分散されることになる。このため、特に開口１１の周囲に位置している天板１０が重力等によって下がるようなことがなくなり、天板１０上は物が転がらない平らなものとなるだけでなく、図１４に示した補助脚２２２等も不要とすることになるものである。
【００１９】
従って、この請求項１のテーブル１００は、天板１０の開口１１周囲部分の補強を簡単な構成によって行えて、天板１０上に手を付いたり調理機器５０を載置したりしても沈むことのないものとなっているのである。
【００２０】
上記課題を解決するために、請求項２に係る発明の採った手段は、上記請求項１のテーブル１００について、
「天板１０を当接部３１ａと平行な位置で折り畳み自在とするとともに、この天板１０の下面外周全体に、補強壁１２の高さ以上の高さを有する収納壁１３を一体化し、さらに各支持脚２０を収納壁１３内に折り畳み自在としたこと」
である。
【００２１】
すなわち、この請求項２のテーブル１００は、特に天板１０を二つ折りに折り畳み可能としたものであり、そのときに収納空間を形成するために、天板１０の外周裏側に収納壁１３を連続的に形成したものである。これにより、この天板１０を完全に二つ折りしたときには、開口１１の周囲に設けてある補強壁１２と、天板１０の外周に設けた収納壁１３とによって１つの独立した収納空間が形成されることになる。
【００２２】
これら補強壁１２及び収納壁１３によって形成された収納空間内には、例えば図１に示すように、天板１０に対して折り畳まれた支持脚２０や、この支持脚２０に連結されるべき補助脚２２、そして、補強フレーム３０を構成することになる当接部材３１や連結部材３２が収納できることになるものである。完全に収納されてしまえば、図６に示したハンドル１４を使用することにより、当該テーブル１００は簡単に持ち運ぶことができるようになり、アウトドアライフを楽しむための１つのツールとすることができるのである。
【００２３】
従って、この請求項２に係るテーブル１００は、上記請求項１のそれと実質的に同じ機能を発揮する他、当該テーブル１００を構成する部材を内部に収納した状態で折り畳めることから、運搬や保管を簡単に行えるものとなるものである。
【００２４】
さらに、上記課題を解決するために、請求項３に係る発明の採った手段は、上記請求項１または２のテーブル１００について、
「補強フレーム３０を、補強桟２１に回動可能に連結される連結部材３２と、この連結部材３２に対して脱着自在に連結され、当接部３１ａを形成した当接部材３１とにより構成したこと」
である。
【００２５】
すなわち、この請求項３のテーブル１００は、補強フレーム３０を、天板１０側の補強壁１２に当接することになる当接部材３１と、これに連結されることになる連結部材３２とにより構成したものであり、これらの連結の際に、当接部材３１の当接部３１ａを補強壁１２に当接させてから行えるようにして、当該補強フレーム３０による支持あるいは補強が確実に行えるものとなっているのである。
【００２６】
特に、この請求項３に係るテーブル１００が請求項２のそれに適用される場合には、図１にも示すように、各連結部材３２を補強桟２１に連結したままの状態で当該テーブル１００内に収納できることになるとともに、各連結部材３２から分離した当接部材３１については他の部分に収納しておくことができて、天板１０の折り畳みをより効果的に行えるものとすることができるのである。
【００２７】
そして、以上の課題を解決するために、請求項４に係る発明の採った手段は、同様に、
「天板１０の略中央に、卓上コンロ等の調理機器５０を収納して支持する開口１１を有したテーブル１００において、
開口１１の周囲であって天板１０の下面に設けた補強壁１２と、天板１０の支持脚２０を互いに連結する補強桟２１に一端にて連結されて、他端にて、補強壁１２のコーナー部の内面に固定した連結部材３４側に連結される補強フレーム３０とを備えたことを特徴とする調理機器用の開口を有したテーブル１００」
である。
【００２８】
すなわち、この請求項４のテーブル１００は、上記請求項１〜３のテーブル１００と同様に補強フレーム３０を有するものではあるが、この補強フレーム３０を、図９〜図１３に示すように、その一端にて天板１０の支持脚２０を互いに連結する補強桟２１に連結され、他端にて補強壁１２の外面に連結されるものとしたものである。つまり、この請求項４のテーブル１００における補強フレーム３０は、補強壁１２に当接されるものではなく、連結部材３４側に連結されるものである。その他の構成は、前述した請求項１等のテーブル１００と同様であるので、共通する部材については、図１等において使用した符号を図９〜図１３中に付すことによって、その詳細説明を省略する。
【００２９】
以上の補強フレーム３０の補強壁１２に対する連結は、図１３に示すように、補強壁１２のコーナー部に連結部材３４を固定しておいて、この連結部材３４の支持軸３４ａを利用して行えばよい。補強フレーム３０の、図１３に示したのとは反対側の端部は、前述した図２等に示した取付部材３３を利用して連結すればよい。
【００３０】
なお、補強フレーム３０が直線状のものである場合に、その補強壁１２に対する連結部材３４を利用した連結は、この補強フレーム３０の端部に係合爪を形成しておいて、この係合爪が連結部材３４の支持軸３４ａにその直ぐ外側から係合できるようにしておけばよい。また、補強フレーム３０を折り畳み自在のものとしたい場合には、次に述べる請求項５のように構成すればよい。
【００３１】
従って、この請求項４のテーブル１００も、天板１０の開口１１周囲部分の補強を簡単な構成によって行えて、天板１０上に手を付いたり調理機器５０を載置したりしても沈むことのないものとなっているのである。
【００３２】
そして、請求項５に係る発明の採った手段は、上記請求項４に係るテーブル１００について、
「補強フレーム３０を、その略中央にて折曲自在とするとともに、その両端連結部において回動自在としたこと」
である。
【００３３】
すなわち、この請求項５に係るテーブル１００においては、図１０〜図１２に示すように、補強フレーム３０を第１補強フレーム３０ａと第２補強フレーム３０ｂとにより構成しておき、これらの第１補強フレーム３０ａ及び第２補強フレーム３０ｂを、連結フレーム３０の略中心に位置することになる折曲軸３５にて折曲自在に連結してある。勿論、これらの第１補強フレーム３０ａと第２補強フレーム３０ｂは、例えば図１２に示した状態となった時に、それ以上の折曲されないようになされるものであり、当該テーブル１００内に支持脚２０等を折り畳む場合には、図９に示したように、これらの第１補強フレーム３０ａ及び第２補強フレーム３０ｂも折り畳まれることになる。
【００３４】
従って、この請求項５のテーブル１００は、その補強フレーム３０の第１補強フレーム３０ａと第２補強フレーム３０ｂとが、折曲軸３５を中心に折曲することができるから、天板１０の沈み込みを確実に防止することができて、かつこれらの第１補強フレーム３０ａ及び第２補強フレーム３０ｂをテーブル１００内に折り込むことができるのである。
【００３５】
【発明の実施の形態】
次に、上記のように構成した各請求項の発明を、図面に示した実施の形態であるテーブル１００について説明するが、この実施形態のテーブル１００は、上記各発明を実質的に含むものである。また、実施形態のテーブル１００は、天板１０を折り畳めるように構成したものを示しているが、特に請求項１の発明は折り畳まれることのない天板１０を有するものについても適用されるものである。
【００３６】
さて、図１には、折り畳み線１５にて二つ折りされていた天板１０を開いたときのテーブル１００が示してあり、この場合には、天板１０は裏面側が示されているものである。そして、このときには、各支持脚２０は天板１０裏面に密着するように折り畳まれており、一対の支持脚２０を連結している補強桟２１、及びこれに連結部材３２を介して回動可能に連結してある連結部材３２も天板１０裏面側に折り畳まれている。
【００３７】
補強桟２１に連結されて補強フレーム３０を構成することになる当接部材３１は、折り畳まれている支持脚２０等の邪魔にならない部分であって、天板１０の外周裏面に一体化した収納壁１３と、天板１０に形成してある開口１１の裏側周囲に設けた補強壁１２との間に収納してある。なお、各支持脚２０に連結されるべき補助脚２２も図示したように収納されているものである。
【００３８】
特に、このテーブル１００を構成している天板１０の中央には、図１及び図２に示したように、二つ折りされることになる開口１１が形成してあり、この開口１１の外周には、これを補強するための前述した補強壁１２がめぐらせてあって天板１０の裏面側に取付けてある。また、前述したように、天板１０の裏面側（図１に示された側の面）外周には、補強壁１２と同様な収納壁１３が一体化してあって、これらの収納壁１３と補強壁１２とによって形成された収納空間内には、当該テーブル１００を構成するための部材等が収納されるのである。
【００３９】
なお、収納壁１３の外面には、図６に示したように、折り畳んだときの当該テーブル１００を運搬するときに使用するハンドル１４が設けてあり、このハンドル１４の近傍には折り畳んだ時の収納壁１３同士を固定するための掛け金が取付けてある。
【００４０】
以上のように構成した天板１０の裏面側の要所には、図２に示したように引き起こされることになる支持脚２０が取付けてあり、これら支持脚２０によって天板１０全体が支えられるようにしてある。本実施形態の支持脚２０は、その長さを補助脚２２によって長くすることができるようにしてあり、この補助脚２２は、前述したように、天板１０の裏面側に収納され、保管されるものである。また、本実施形態においては、天板１０の短側辺側の一対の支持脚２０間には補強桟２１が一体化してあり、これにより、各支持脚２０間の強度が高くなるようにしてある。
【００４１】
補強桟２１には、図４または図６に示したような取付部材３３が設けてあり、この取付部材３３によって、補強フレーム３０を構成している連結部材３２の端部が回動可能に連結してある。各取付部材３３は、連結部材３２が連結できるのであれば、図４に示したような２本のＬ金具で構成してもよいし、図６等に示したように、例えば合成樹脂等によって一体成形したものであってもよいものである。
【００４２】
補強フレーム３０は、上述した取付部材３３に回動自在に連結される連結部材３２と、この連結部材３２に、例えば図３に示したように差し込み連結される当接部材３１とにより構成されているものであり、これらの当接部材３１及び連結部材３２は、図１に示したように、分離して天板１０内に納められることになるものである。
【００４３】
補強フレーム３０を構成している当接部材３１は、前述した補強壁１２の外面に線的に当接することになるものであり、図３に示したように、当接部３１ａを有しているものである。実施形態の当接部３１ａは、離れた間隔で接触する２点のものとして形成してあるが、補強壁１２の外面と平行になる線状に形成したものであってもよい。
【００４４】
以上のような当接部３１ａを有するものであれば、各補強フレーム３０は図３の（イ）または（ロ）に示したように構成すればよい。図３の（イ）に示した補強フレーム３０は、当接部３１ａを有する当接部材３１の両端を２本の連結部材３２でそれぞれ補強桟２１側に連結するようにしたものであり、図３の（ロ）に示した補強フレーム３０は、１本の連結部材３２で連結するようにしたものである。
【００４５】
この補強フレーム３０を構成している当接部材３１と連結部材３２とは、前述したように差し込み連結されるものであるが、その差し込み量を一定にするために、図３に示したように、当接部材３１側にノブ３１ｂを出入自在に設けておき、このノブ３１ｂが係合することになる穴を連結部材３２側に形成したものである。
【００４６】
なお、本実施形態のテーブル１００においては、図５及び図６に示したように、収納壁１３の外面と支持脚２０との間に折り畳みストッパ４０を設けておいて、この折り畳みストッパ４０により、各支持脚２０の立設位置での固定が行えるようにしてある。
【００４７】
さらに、図９〜図１３には、請求項４及び請求項５に係るテーブル１００が示してあるが、このテーブル１００は、図１０〜図１２にも示したように、補強フレーム３０を第１補強フレーム３０ａと第２補強フレーム３０ｂとにより構成しておき、これらの第１補強フレーム３０ａ及び第２補強フレーム３０ｂを、連結フレーム３０の略中心に位置することになる折曲軸３５にて折曲自在に連結したものである。勿論、これらの第１補強フレーム３０ａと第２補強フレーム３０ｂは、例えば図１２に示した状態となった時に、それ以上の折曲されないようになされるものであり、当該テーブル１００内に支持脚２０等を折り畳む場合には、図９に示したように、これらの第１補強フレーム３０ａ及び第２補強フレーム３０ｂも折り畳まれるようにしたものである。そして、この請求項４及び請求項５に係るテーブル１００については、上記段落００２８及び段落００２９で述べたように、上記請求項１〜３のテーブル１００と同様に補強フレーム３０を有するものではあるが、この補強フレーム３０を、図９〜図１３に示したように、その一端にて天板１０の支持脚２０を互いに連結する補強桟２１に連結され、他端にて補強壁１２の外面に連結されるものとしたものである。つまり、この請求項４のテーブル１００における補強フレーム３０は、補強壁１２に当接されるものではなく、連結部材３４側に連結されるものである。以上の補強フレーム３０の補強壁１２に対する連結は、図１３に示したように、補強壁１２のコーナー部に連結部材３４を固定しておいて、この連結部材３４の支持軸３４ａを利用して行えばよい。補強フレーム３０の、図１３に示したのとは反対側の端部は、前述した図２等に示した取付部材３３を利用して連結すればよい。
【００４８】
【発明の効果】
以上、詳述した通り、まず請求項１に係るテーブル１００においては、開口１１の周囲に設けてある補強壁１２に、当接部３１ａにて線的に当接する補強フレーム３０の他端を、一対の支持脚２０間を補強することになる補強桟２１に連結するようにしたので、天板１０の開口１１周囲部分の補強を簡単な構成によって行え、天板１０上に手を付いたり調理機器５０を載置したりしても沈むことのないテーブル１００を簡簡な構成によって提供することができるのである。
【００４９】
また請求項２に係るテーブル１００は、その天板１０を折り畳み自在としたから、上記請求項１と同様な効果を発揮しながら、アウトドアライフ用のツールとして非常に有効なものとすることができるのである。
【００５０】
さらに、請求項３のテーブル１００によれば、各補強フレーム３０を、互いに連結及び分離自在な当接部材３１と連結部材３２とにより構成したから、当接部３１ａの補強壁１２への当接を確実にした組立て、及び例えば収納のための分離を行うことができるものである。
【００５１】
従って、この請求項５のテーブル１００は、その補強フレーム３０の第１補強フレーム３０ａと第２補強フレーム３０ｂとが、折曲軸３５を中心に折曲することができるから、天板１０の沈み込みを確実に防止することができて、かつこれらの第１補強フレーム３０ａ及び第２補強フレーム３０ｂをテブル１００内に折り込むことができるのである。
【００５２】
そして、請求項４及び５に係るテーブル１００によれば、開口１１の周囲であって天板１０の下面に設けた補強壁１２と、天板１０の支持脚２０を互いに連結する補強桟２１に一端にて連結されて、他端にて、補強壁１２のコーナー部の内面に固定した連結部材３４側に連結される補強フレーム３０とを備えたことにその構成上の特徴があり、これにより、補強フレーム３０による開口部１１近傍の天板１０の支持を確実に行えて、天板１０の開口１１周囲部分の補強が確実に行えて、天板１０上に手を付いたり調理機器５０を載置したりしても沈むことのないテーブル１００を提供することができたのである。
【図面の簡単な説明】
【図１】本発明に係るテーブルの、天板の裏面側からみた斜視図である。
【図２】折り畳んでおいた支持脚を立ち上げて補強フレームの当接部を補強壁の外側面側に当接させたときの状態を示す部分斜視図である。
【図３】本発明を構成する補強フレームの、２本の連結部材によって連結するタイプ（イ）、及び１本の連結部材によって連結するタイプ（ロ）を示す拡大平面図である。
【図４】図２中の矢印１方向からみた取付部材の拡大斜視図である。
【図５】本発明に係るテーブルの正面図である。
【図６】同テーブルの側面図である。
【図７】同テーブルの下側からみた斜視図である。
【図８】図７中の矢印２方向からみたテーブルの部分斜視図である。
【図９】請求項４または５に係るテーブルの、各部材を折り畳んだときの天板の裏面側からみた平面図である。
【図１０】同テーブルの正面図である。
【図１１】同テーブルの側面図である。
【図１２】折り畳んでおいた支持脚を立ち上げたときの状態を示す部分斜視図である。
【図１３】補強フレームの補強壁側の連結状態を示す部分拡大斜視図である。
【図１４】連結部材を示す斜視図である。
【符号の説明】
１００  テーブル
１０    天板
１１    開口
１２    補強壁
１３    収納壁
１４    ハンドル
１５    折り畳み線
２０    支持脚
２１    補強桟
２２    補助脚
３０    補強フレーム
３０ａ  第１補強フレーム
３０ｂ  第２補強フレーム
３１    当接部材
３１ａ  当接部
３１ｂ  ノブ
３２    連結部材
３３    取付部材
３４    連結部材
３４ａ  連結軸
３５    折曲軸
４０    折り畳みストッパ
５０    調理機器
２００  従来テーブル
２１０  天板
２１１  開口
２２１  支持脚
２２２  補助脚
【図１】
0003689889.tif 000002
【図２】
0003689889.tif 000003
【図３】
0003689889.tif 000004
【図４】
0003689889.tif 000005
【図５】
0003689889.tif 000006
【図６】
0003689889.tif 000007
【図７】
0003689889.tif 000008
【図８】
0003689889.tif 000009
【図９】
0003689889.tif 000010
【図１０】
0003689889.tif 000011
【図１１】
0003689889.tif 000012
【図１２】
0003689889.tif 000013
【図１３】
0003689889.tif 000014
【図１４】
0003689889.tif 000015